【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
電気的に直列に接続された複数の蓄電器を有する単位蓄電器列が複数、電気的に直列に接続されてなる蓄電装置の制御装置であって、
前記複数の単位蓄電器列のそれぞれに対応して設けられた複数の単位ユニットを有し、
前記複数の単位ユニットは、それぞれ、対応する単位蓄電器列が有する各蓄電器の端子電圧を選択的に取り込むための電圧取込回路と、該電圧取込回路の出力電圧を入力してその電位レベルを変換するための第１の電位変換回路と、該第１の電位変換回路の出力をデジタル信号に変換するためのＡ／Ｄ変換器と、該Ａ／Ｄ変換器の出力に基づいて信号を出力するための回路とを有すると共に、対応する単位蓄電器列の最下マイナス端子の電位レベルを基準電位としており、
基準電位の異なる前記複数の単位ユニットの間において、前記信号を出力するための回路が電気的に直列に接続され、かつ第２の電位変換回路によって信号の電位レベルが変換されるように構成されている、
ことを特徴とする蓄電装置の制御装置。
【請求項２】
電気的に直列に接続された複数の蓄電器を有する単位蓄電器列が複数、電気的に直列に接続されてなる蓄電装置の制御装置であって、
前記複数の単位蓄電器列のそれぞれに対応して設けられた複数の単位ユニットを有し、
前記複数の単位ユニットは、それぞれ、対応する単位蓄電器列が有する各蓄電器の端子電圧を選択的に取り込むための電圧取込回路と、該電圧取込回路の出力電圧を入力してその電位レベルを変換するための第１の電位変換回路と、該第１の電位変換回路の出力をデジタル信号に変換するためのＡ／Ｄ変換器と、該Ａ／Ｄ変換器の出力に基づいて信号を出力するための回路とを有すると共に、対応する単位蓄電器列の最下マイナス端子の電位レベルを基準電位としており、
基準電位の異なる前記複数の単位ユニットの間において、前記信号を出力するための回路が電気的に直列に接続され、かつ第２の電位変換回路によって信号の電位レベルが変換されるように構成されており、
少なくとも前記電圧取込回路、前記第１の電位変換回路、及び前記Ａ／Ｄ変換器は、前記単位蓄電器列に対応して設けられた集積回路により構成されている、
ことを特徴とする蓄電装置の制御装置。
【請求項３】
請求項１又は２に記載の蓄電装置の制御装置において、
前記電圧取込回路は、前記対応する複数の蓄電器のそれぞれの端子間電圧を選択的に取り込むマルチプレクサである、
ことを特徴とする蓄電装置の制御装置。
【請求項４】
請求項３に記載の蓄電装置の制御装置において、
前記マルチプレクサは、前記対応する単位蓄電器列の電圧よりも高い耐圧の高耐圧素子により構成されている、
ことを特徴とする蓄電装置の制御装置。
【請求項５】
請求項１乃至４のいずれかに記載の蓄電装置の制御装置において、
前記第１の電位変換回路は差動増幅器から構成されている、
ことを特徴とする蓄電装置の制御装置。
【請求項６】
請求項１乃至５のいずれかに記載の蓄電装置の制御装置において、
前記第２の電位変換回路は差動増幅器から構成されている、
ことを特徴とする蓄電装置の制御装置。
【請求項７】
請求項１乃至５のいずれかに記載の蓄電装置の制御装置において、
前記第２の電位変換回路はレベルシフト回路から構成されている、
ことを特徴とする蓄電装置の制御装置。
【請求項８】
請求項１乃至７のいずれかに記載の蓄電装置の制御装置において、
前記蓄電器はリチウム電池である、
ことを特徴とする蓄電装置の制御装置。
【請求項９】
電気的に直列に接続された複数の蓄電器を有する単位蓄電器列が複数、電気的に直列に接続されてなる蓄電装置と、
前記複数の単位蓄電器列のそれぞれに対応して設けられた複数の単位ユニットを有する制御装置と、を有し、
前記複数の単位ユニットは、それぞれ、対応する単位蓄電器列が有する各蓄電器の端子電圧を選択的に取り込むための電圧取込回路と、該電圧取込回路の出力電圧を入力してその電位レベルを変換するための第１の電位変換回路と、該第１の電位変換回路の出力をデジタル信号に変換するためのＡ／Ｄ変換器と、該Ａ／Ｄ変換器の出力に基づいて信号を出力するための回路とを有すると共に、対応する単位蓄電器列の最下マイナス端子の電位レベルを基準電位としており、
基準電位の異なる前記複数の単位ユニットの間において、前記信号を出力するための回路が電気的に直列に接続され、かつ第２の電位変換回路によって信号の電位レベルが変換されるように構成されている、
ことを特徴とする蓄電装置。
【請求項１０】
電気的に直列に接続された複数の蓄電器を有する単位蓄電器列が複数、電気的に直列に接続されてなる蓄電装置と、
前記複数の単位蓄電器列のそれぞれに対応して設けられた複数の単位ユニットを有する制御装置と、を有し、
前記複数の単位ユニットは、それぞれ、対応する単位蓄電器列が有する各蓄電器の端子電圧を選択的に取り込むための電圧取込回路と、該電圧取込回路の出力電圧を入力してその電位レベルを変換するための第１の電位変換回路と、該第１の電位変換回路の出力をデジタル信号に変換するためのＡ／Ｄ変換器と、該Ａ／Ｄ変換器の出力に基づいて信号を出力するための回路とを有すると共に、対応する単位蓄電器列の最下マイナス端子の電位レベルを基準電位としており、
基準電位の異なる前記複数の単位ユニットの間において、前記信号を出力するための回路が電気的に直列に接続され、かつ第２の電位変換回路によって信号の電位レベルが変換されるように構成されており、
少なくとも前記電圧取込回路、前記第１の電位変換回路、及び前記Ａ／Ｄ変換器は、前記単位蓄電器列に対応して設けられた集積回路により構成されている、
ことを特徴とする蓄電装置。
【請求項１１】
請求項９又は１０に記載の蓄電装置において、
前記電圧取込回路は、前記対応する複数の蓄電器のそれぞれの端子間電圧を選択的に取り込むマルチプレクサである、
ことを特徴とする蓄電装置。
【請求項１２】
請求項１１に記載の蓄電装置において、
前記マルチプレクサは、前記対応する単位蓄電器列の電圧よりも高い耐圧の高耐圧素子により構成されている、
ことを特徴とする蓄電装置。
【請求項１３】
請求項９乃至１２のいずれかに記載の蓄電装置において、
前記第１の電位変換回路は差動増幅器から構成されている、
ことを特徴とする蓄電装置。
【請求項１４】
請求項９乃至１３のいずれかに記載の蓄電装置において、
前記第２の電位変換回路は差動増幅器から構成されている、
ことを特徴とする蓄電装置。
【請求項１５】
請求項９乃至１３のいずれかに記載の蓄電装置において、
前記第２の電位変換回路はレベルシフト回路から構成されている、
ことを特徴とする蓄電装置。
【請求項１６】
請求項９乃至１５のいずれかに記載の蓄電装置において、
前記蓄電器はリチウム電池である、
ことを特徴とする蓄電装置。
【手続補正２】
【補正対象書類名】明細書
【補正対象項目名】００１１
【補正方法】変更
【補正の内容】
【００１１】
本発明は、電気的に直列に接続された複数の蓄電器を有する単位蓄電器列が複数、電気的に直列に接続されてなる蓄電装置の制御装置であって、複数の単位蓄電器列のそれぞれに対応して設けられた複数の単位ユニットを有し、複数の単位ユニットが、それぞれ、対応する単位蓄電器列が有する各蓄電器の端子電圧を選択的に取り込むための電圧取込回路と、この電圧取込回路の出力電圧を入力してその電位レベルを変換するための第１の電位変換回路と、この第１の電位変換回路の出力をデジタル信号に変換するためのＡ／Ｄ変換器と、このＡ／Ｄ変換器の出力に基づいて信号を出力するための回路とを有すると共に、対応する単位蓄電器列の最下マイナス端子の電位レベルを基準電位としており、基準電位の異なる複数の単位ユニットの間において、信号を出力するための回路が電気的に直列に接続され、かつ第２の電位変換回路によって信号の電位レベルが変換されるように構成されていることを特徴とする。
【手続補正３】
【補正対象書類名】明細書
【補正対象項目名】００１２
【補正方法】変更
【補正の内容】
【００１２】
また、本発明は、電気的に直列に接続された複数の蓄電器を有する単位蓄電器列が複数、電気的に直列に接続されてなる蓄電装置の制御装置であって、複数の単位蓄電器列のそれぞれに対応して設けられた複数の単位ユニットを有し、複数の単位ユニットが、それぞれ、対応する単位蓄電器列が有する各蓄電器の端子電圧を選択的に取り込むための電圧取込回路と、この電圧取込回路の出力電圧を入力してその電位レベルを変換するための第１の電位変換回路と、この第１の電位変換回路の出力をデジタル信号に変換するためのＡ／Ｄ変換器と、このＡ／Ｄ変換器の出力に基づいて信号を出力するための回路とを有すると共に、対応する単位蓄電器列の最下マイナス端子の電位レベルを基準電位としており、基準電位の異なる複数の単位ユニットの間において、信号を出力するための回路が電気的に直列に接続され、かつ第２の電位変換回路によって信号の電位レベルが変換されるように構成されており、少なくとも電圧取込回路、第１の電位変換回路、及びＡ／Ｄ変換器が、単位蓄電器列に対応して設けられた集積回路により構成されていることを特徴とする。
【手続補正４】
【補正対象書類名】明細書
【補正対象項目名】００１３
【補正方法】変更
【補正の内容】
【００１３】
本発明において、電圧取込回路は、対応する複数の蓄電器のそれぞれの端子間電圧を選択的に取り込むマルチプレクサである。
【手続補正５】
【補正対象書類名】明細書
【補正対象項目名】００１４
【補正方法】変更
【補正の内容】
【００１４】
また、本発明において、マルチプレクサは、対応する単位蓄電器列の電圧よりも高い耐圧の高耐圧素子により構成されている。
【手続補正６】
【補正対象書類名】明細書
【補正対象項目名】００１５
【補正方法】変更
【補正の内容】
【００１５】
さらに、本発明において、第１の電位変換回路は差動増幅器から構成されている。
【手続補正７】
【補正対象書類名】明細書
【補正対象項目名】００１６
【補正方法】変更
【補正の内容】
【００１６】
さらにまた、本発明において、第２の電位変換回路は差動増幅器或いはレベルシフト回路から構成されている。
【手続補正８】
【補正対象書類名】明細書
【補正対象項目名】００１７
【補正方法】変更
【補正の内容】
【００１７】
さらにまた、本発明において、蓄電器はリチウム電池である。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】